【手続補正書】
【提出日】平成16年8月2日(2004.8.2)
【手続補正１】
【補正対象書類名】明細書
【補正対象項目名】特許請求の範囲
【補正方法】変更
【補正の内容】
【特許請求の範囲】
【請求項１】
撮像素子と、
前記撮像素子上に被写体像を結像させる撮影レンズと、
撮像装置の姿勢を検出する姿勢検出手段と、
前記姿勢検出手段の姿勢検出結果に応じて、前記撮像素子から読み出された撮影画像の縦横を変換する画像変換手段と、
少なくとも前記縦横を変換した撮影画像を記録する画像記録手段とを備えたことを特徴とする撮像装置。
【請求項２】
撮像素子と、
前記撮像素子上に被写体像を結像させる撮影レンズと、
光軸と直交する２方向に像ぶれ補正レンズを駆動する第１、第２のアクチュエータを有した像ぶれ補正装置と、
前記第１、第２のアクチュエータのいずれか、あるいは両方の駆動電流値を検出して前記撮像装置の姿勢を検出する姿勢検出手段と、
前記撮像素子から読み出された撮影画像と共に前記姿勢検出手段により検出された姿勢判別信号を記録する画像記録手段とを備えたことを特徴とする撮像装置。
【請求項３】
撮影画像を送信する送信手段を備えたことを特徴とする請求項１あるいは２記載の撮像装置。
【請求項４】
撮像素子と、
前記撮像素子上に被写体像を結像させる撮影レンズと、
撮像装置の姿勢を検出する姿勢検出手段と、
撮像画像を記録する画像記録手段とを有し、
前記画像記録手段は、前記姿勢検出手段の姿勢検出結果に応じ、少なくとも、撮像装置の横姿勢にて撮影された撮影画像の画像データファイルを画像記録手段に格納するためのディレクトリと、縦姿勢にて撮影された撮影画像の画像データファイルを前記画像記録手段に格納するためのディレクトリとに分類して記録することを特徴とする撮像装置。
【請求項５】
前記画像記録手段は、前記姿勢検出手段の姿勢検出結果に応じ、少なくとも、撮像装置の横姿勢にて撮影された撮影画像の画像データファイルを画像記録手段に格納するためのディレクトリと、縦姿勢にて撮影された撮影画像の画像データファイルを前記画像記録手段に格納するためのディレクトリとに分類して記録することを特徴とする請求項1または2記載の撮像装置。
【請求項６】
撮影画像を表示する表示手段と、
前記撮影画像に記録された姿勢判別信号に基づき前記撮影画像の表示方法または表示順序を制御する画像表示制御手段とを備えたことを特徴とする請求項２記載の撮像装置。
【請求項７】
前記画像記録手段は、さらに、前記撮影画像から作成した縮小画像を記録し、前記縮小画像を表示する表示手段と、
前記姿勢判別信号に基づき前記縮小画像の表示方法または表示順序を制御する画像表示制御手段とを備えたことを特徴とする請求項2記載の撮像装置。
【請求項８】
前記画像表示制御手段は、同じ姿勢の前記縮小画像をまとめてサムネイル表示することを特徴とする請求項７記載の撮像装置。
【請求項９】
外部の表示手段に撮影画像を表示するために画像信号を出力する画像信号出力手段と、
前記撮影画像に記録された姿勢判別信号に基づき前記画像信号の出力方法を制御する画像信号出力制御手段とを備えたことを特徴とする請求項２または7記載の撮像装置。
【請求項１０】
光軸と直交する２方向に像ぶれ補正レンズを駆動する第１、第２のアクチュエータを有した像ぶれ補正装置を備え、
姿勢検出手段は、前記第１、第２のアクチュエータのいずれか、あるいは両方の駆動電流値を検出して判別することを特徴とする少なくとも請求項１、３、４または５のいずれかに記載の撮像装置。
【請求項１１】
光軸と直交する２方向に像ぶれ補正レンズを駆動する第１、第２のアクチュエータを有した像ぶれ補正装置の前記第１、第２のアクチュエータのいずれか、あるいは両方の駆動電流値を検出して前記撮影レンズの姿勢を検出する姿勢検出手段により検出された姿勢判別信号が記録された撮影画像を読み込む画像読み込み手段と、
前記撮影画像を表示する表示手段と、
前記撮影画像に記録された姿勢判別信号に基づき前記撮影画像の表示方法を制御する画像表示制御手段とを備えたことを特徴とする表示装置。
【請求項１２】
受信手段を備えたことを特徴とする請求項１１記載の表示装置。
【請求項１３】
光源からの光を赤、緑、青の３種類の波長光に分割して各色用の３種類の表示手段に照射し、前記各色用の表示手段に表示された各画像を合成して投影する投射装置であって、
光軸と直交する２方向に像ぶれ補正レンズを駆動する第１、第２のアクチュエータを有した像ぶれ補正装置の前記第１、第２のアクチュエータのいずれか、あるいは両方の駆動電流値を検出して前記撮影装置の姿勢を検出する姿勢検出手段により検出された姿勢判別信号が記録された撮影画像を読み込む画像読み込み手段と、
前記撮影画像に記録された姿勢判別信号に基づき前記撮影画像の投射方法を制御する画像投射制御手段とを備えたことを特徴とする投射装置。
【請求項１４】
撮像装置の姿勢を検出する姿勢検出ステップと、
前記姿勢検出ステップの姿勢検出結果に応じて、撮像素子から読み出された撮影画像の縦横を変換する画像変換ステップと、
少なくとも前記縦横を変換した撮影画像を記録する画像記録ステップとを備えたことを特徴とする撮影画像記録方法。
【請求項１５】
光軸と直交する２方向に像ぶれ補正レンズを駆動する第１、第２のアクチュエータのいずれか、あるいは両方の駆動電流値を検出して撮像装置の姿勢を検出する姿勢検出ステップと、
撮像素子から読み出された撮影画像を記録する画像記録ステップと、
前記姿勢検出ステップにより検出された姿勢判別信号を記録する姿勢判別信号記録ステップとを有することを特徴とする撮像装置の撮影画像記録方法。
【請求項１６】
撮像装置の姿勢を検出する姿勢検出ステップと、
前記姿勢検出ステップの姿勢検出結果に応じ、少なくとも、撮像レンズの横姿勢にて撮影された撮影画像の画像データファイルを画像記録手段に格納するためのディレクトリと、縦姿勢にて撮影された撮影画像の画像データファイルを前記画像記録手段に格納するためのディレクトリとに分類して記録するステップとを有することを特徴とする撮像装置の撮影画像記録方法。
【手続補正２】
【補正対象書類名】明細書
【補正対象項目名】０００９
【補正方法】変更
【補正の内容】
【０００９】
【課題を解決するための手段】
この課題を解決するために本発明の撮像装置は、撮像素子と、撮像素子上に被写体像を結像させる撮影レンズと、撮像装置の姿勢を検出する姿勢検出手段と、姿勢検出手段の姿勢検出結果に応じて、撮像素子から読み出された撮影画像の縦横を変換する画像変換手段と、少なくとも前記縦横を変換した撮影画像を記録する画像記録手段とを備えたことにより、被写体と撮影画像の上下左右が一致するように、撮影画像を記録することができる。
【手続補正３】
【補正対象書類名】明細書
【補正対象項目名】００１０
【補正方法】変更
【補正の内容】
【００１０】
また、本発明の撮像装置は、撮像素子と、撮像素子上に被写体像を結像させる撮影レンズと、光軸と直交する２方向に像ぶれ補正レンズを駆動する第１、第２のアクチュエータを有した像ぶれ補正装置と、第１、第２のアクチュエータのいずれか、あるいは両方の駆動電流値を検出して撮像装置の姿勢を検出する姿勢検出手段と、撮像素子から読み出された撮影画像と共に姿勢検出手段により検出された姿勢判別信号を記録する画像記録手段とを備えたことにより、撮影画像が撮影されたときの撮像装置の撮影姿勢を示す情報を容易に記録することができる。
【手続補正４】
【補正対象書類名】明細書
【補正対象項目名】００１２
【補正方法】変更
【補正の内容】
【００１２】
また、本発明の撮像装置は、撮像素子と、撮像素子上に被写体像を結像させる撮影レンズと、撮像装置の姿勢を検出する姿勢検出手段と、撮像画像を記録する画像記録手段とを有し、画像記録手段は、姿勢検出手段の姿勢検出結果に応じ、少なくとも、撮像装置の横姿勢にて撮影された撮影画像の画像データファイルを画像記録手段に格納するためのディレクトリと、縦姿勢にて撮影された撮影画像の画像データファイルを画像記録手段に格納するためのディレクトリとに分類して記録することにより、画像データの管理方法が容易になる。
【手続補正５】
【補正対象書類名】明細書
【補正対象項目名】００１３
【補正方法】変更
【補正の内容】
【００１３】
また、本発明の撮像装置は、画像記録手段は、姿勢検出手段の姿勢検出結果に応じ、少なくとも、撮像装置の横姿勢にて撮影された撮影画像の画像データファイルを画像記録手段に格納するためのディレクトリと、縦姿勢にて撮影された撮影画像の画像データファイルを画像記録手段に格納するためのディレクトリとに分類して記録することを特徴とすることにより、画像データの管理が容易となる。
【手続補正６】
【補正対象書類名】明細書
【補正対象項目名】００１４
【補正方法】変更
【補正の内容】
【００１４】
また、本発明の撮像装置は、撮影画像を表示する表示手段と、撮影画像に記録された姿勢判別信号に基づき撮影画像の表示方法または表示順序を制御する画像表示制御手段とを備えたことにより、撮像装置の撮影姿勢に左右されることなく、かつ特殊な操作をする必要もなく、常に本来の撮像装置の使用状態にて撮影画像を表示することができる。
【手続補正７】
【補正対象書類名】明細書
【補正対象項目名】００１５
【補正方法】変更
【補正の内容】
【００１５】
また、本発明の撮像装置は、画像記録手段は、さらに、撮影画像から作成した縮小画像を記録し、縮小画像を表示する表示手段と、姿勢判別信号に基づき縮小画像の表示方法または表示順序を制御する画像表示制御手段と備えたことにより、横姿勢と縦姿勢にて撮影した撮影画像を分類してサムネイル表示を行うことができる。
【手続補正８】
【補正対象書類名】明細書
【補正対象項目名】００１６
【補正方法】変更
【補正の内容】
【００１６】
また、本発明の撮像装置は、画像表示制御手段は、同じ姿勢の縮小画像をまとめてサムネイル表示することを特徴とする。
【手続補正９】
【補正対象書類名】明細書
【補正対象項目名】００１７
【補正方法】変更
【補正の内容】
【００１７】
また、本発明の撮像装置は、外部の表示手段に撮影画像を表示するために画像信号を出力する画像信号出力手段と、撮影画像に記録された姿勢判別信号に基づき画像信号の出力方法を制御する画像信号出力制御手段とを備えたことにより、撮像装置の撮影姿勢に左右されることなく、かつ特別な操作をする必要もなく、本来の被写体の姿勢にて外部の表示装置に表示することができる。
【手続補正１０】
【補正対象書類名】明細書
【補正対象項目名】００１８
【補正方法】変更
【補正の内容】
【００１８】
また、本発明の撮像装置は、光軸と直交する２方向に像ぶれ補正レンズを駆動する第１、第２のアクチュエータを有した像ぶれ補正装置を備え、姿勢検出手段は、第１、第２のアクチュエータのいずれか、あるいは両方の駆動電流値を検出して判別することにより専用の姿勢検出手段を用いることが必要なく、像ぶれのない良好な撮影画像を得ることができる。
【手続補正１１】
【補正対象書類名】明細書
【補正対象項目名】００１９
【補正方法】変更
【補正の内容】
【００１９】
また、本発明の表示装置は、光軸と直交する２方向に像ぶれ補正レンズを駆動する第１、第２のアクチュエータを有した像ぶれ補正装置の第１、第２のアクチュエータのいずれか、あるいは両方の駆動電流値を検出して撮影レンズの姿勢を検出する姿勢検出手段により検出された姿勢判別信号が記録された撮影画像を読み込む画像読み込み手段と、
撮影画像を表示する表示手段と、撮影画像に記録された姿勢判別信号に基づき撮影画像の表示方法を制御する画像表示制御手段とを備えたことを特徴とする。
また、本発明の表示装置は、受信手段を備えたことにより、撮影画像を任意の場所より受信することができる。
また、本発明の投射装置は、光源からの光を赤、緑、青の３種類の波長光に分割して各色用の３種類の表示手段に照射し、各色用の表示手段に表示された各画像を合成して投影する投射装置であって、光軸と直交する２方向に像ぶれ補正レンズを駆動する第１、第２のアクチュエータを有した像ぶれ補正装置の第１、第２のアクチュエータのいずれか、あるいは両方の駆動電流値を検出して撮影装置の姿勢を検出する姿勢検出手段により検出された姿勢判別信号が記録された撮影画像を読み込む画像読み込み手段と、撮影画像に記録された姿勢判別信号に基づき撮影画像の投射方法を制御する画像投射制御手段とを備えたことにより、撮影装置の撮影姿勢に左右されることなく、かつ特殊な操作をする必要もなく、常に本来の撮像装置の使用状態にて撮影画像を拡大投射することができる。
また、本発明の撮像画像記録方法は、撮像装置の姿勢を検出する姿勢検出ステップと、
姿勢検出ステップの姿勢検出結果に応じて、撮像素子から読み出された撮影画像の縦横を変換する画像変換ステップと、少なくとも縦横を変換した撮影画像を記録する画像記録ステップとを備えたことを特徴とする。
また、本発明の撮像画像記録方法は、光軸と直交する２方向に像ぶれ補正レンズを駆動する第１、第２のアクチュエータのいずれか、あるいは両方の駆動電流値を検出して撮像装置の姿勢を検出する姿勢検出ステップと、撮像素子から読み出された撮影画像を記録する画像記録ステップと、姿勢検出ステップにより検出された姿勢判別信号を記録する姿勢判別信号記録ステップとを有することを特徴とする。
また、本発明の撮像画像記録方法は、撮像装置の姿勢を検出する姿勢検出ステップと、姿勢検出ステップの姿勢検出結果に応じ、少なくとも、撮像レンズの横姿勢にて撮影された撮影画像の画像データファイルを画像記録手段に格納するためのディレクトリと、縦姿勢にて撮影された撮影画像の画像データファイルを画像記録手段に格納するためのディレクトリとに分類して記録するステップとを有することを特徴とする。